(57)【特許請求の範囲】
【請求項１】
一対の平行な斜材間に踏み板を斜材の長手方向に沿って所定間隔を有して配設し、各踏み板の両側部を前記斜材に回動自在に軸着する一方、踏み板の少なくとも一つの側方に円周に沿って所定間隔に突起を立設した角度調節用円板を取り付け、角度調節用円板の突起間に断面略コ字形状の固定金具の折曲した縁部を臨ませかつ出没自在とすると共に、固定金具を斜材側に固定可能に配設し、更に踏み板のそれぞれを斜材に対してほぼ平行に配設したリンク材により連結したことを特徴とする仮設足場用階段。
【発明の詳細な説明】
【０００１】
【発明の属する技術分野】
本発明は、建設現場の昇降用に用いられる仮設足場用階段に関し、特に、踏み板の角度を調節可能とした仮設足場用階段に関する。
【０００２】
【従来の技術】
仮設足場用階段は一対の平行な斜材に複数の踏み板を所定間隔を有して取り付け、建築物の周囲に組み上げた仮設足場間に斜材を掛け渡して昇降路を形成するようにしている。そしてこの仮設足場用階段の勾配は仮設足場の状況によって様々に変化することが多く、そのために、実開昭６０−１２９４５５号公報に示される如く、踏み板に角度調節金具を取り付けて踏み板の角度を変更可能にし、様々な勾配に適応できるようにしたものがある。
【０００３】
【発明が解決しようとする課題】
しかしながら、上記の実開昭６０−１２９４５５号公報に示された仮設足場用階段では角度調節金具により踏み板の角度を変更可能にしているものの、角度調節金具を各々の踏み板に取り付けており、仮設足場用階段の勾配を変更しようとするとき、各々の踏み板に取り付けた角度調節金具の全てを所望の角度に調節する必要があり、手間のかかる非能率的な作業を伴う。
【０００４】
本発明は上記の点に鑑み、仮設足場用階段の勾配を変更するときに能率良く踏み板の角度を調節できるようにした仮設足場用階段を提供することを課題とする。
【０００５】
【課題を解決するための手段】
本発明は上記の課題を達成するために、一対の平行な斜材間に踏み板を斜材の長手方向に沿って所定間隔を有して配設し、各踏み板の両側部を前記斜材に回動自在に軸着する一方、踏み板の少なくとも一つの側方に円周に沿って所定間隔に突起を立設した角度調節用円板を取り付け、角度調節用円板の突起間に断面略コ字形状の固定金具の折曲した縁部を臨ませかつ出没自在とすると共に、固定金具を斜材側に固定可能に配設し、更に踏み板のそれぞれを斜材に対してほぼ平行に配設したリンク材により連結したことを特徴とする。
【０００６】
【発明の実施の形態】
本発明に係る仮設足場用階段にあっては、仮設足場用階段の勾配を変更するときには、所定の踏み板に対応させた斜材側に固定している断面略コ字形状の固定金具の固定を解除し、該固定金具を前記踏み板に取り付けた角度調節用円板より後退させると共に、角度調節用円板の突起間より固定金具の折曲した縁部を抜脱させ、角度調節用円板の回動の規制を解除する。そして、踏み板の一つを所望の角度に調節すると、リンク材により連結した他の踏み板も連動して同一の角度に回動する。踏み板が所望の角度になると再び固定金具の折曲した縁部を角度調節用円板の突起間に嵌め入れた後、固定金具を斜材側に固定して踏み板の回動を規制する。このように角度調節金具と踏み板を操作するだけで全体の踏み板の角度を調節することができる。
【０００７】
【実施例】
以下、本発明の実施例を図面に基づいて説明する。
【０００８】
図中の１は本発明に係る仮設足場用階段を示すもので、両端部に仮設足場用階段１を仮設足場の建枠に引っ掛けるための係止金具２を固着した断面略長方形の角パイプから成る一対の斜材３を所定の間隔を隔てて平行に配設し、該一対の斜材３間に所定の厚みを有する踏み板４を斜材３の長手方向に沿って所定の間隔を保って配設している。これらの踏み板４の両側部には軸体５を突設し、該軸体５を斜材３の側面に穿設した軸着孔に嵌入して踏み板４を軸体５を中心にしてそれぞれ回動自在としている。
【０００９】
そして、両端部に近い踏み板４にはその角度を調節する角度調節金具６を配設しており、該角度調節金具６は、角度調節用円板７と固定金具８及びナット９とより成り、また角度調節用円板７は図３に示すように斜材３の外側に突出させた踏み板４の軸体５に固着している。更に角度調節用円板７には図４に示すように外周部に沿って多数の突起１０を所定間隔を有して外側に向けて突設している。
【００１０】
固定金具８は背部１１と折曲した縁部１２とよりなる断面略コ字形状をしたもので、背部１１の中央部に透孔１３とその両側に透孔１４を穿設している。そして固定金具８の折曲した縁部１２を角度調節用円板７に臨ませると共に、断面略コ字形状の背部１１に穿設した透孔１３に軸体５を嵌入すると共に、透孔１４には斜材３に立設してコイルバネ１５を介装したガイドピン１６を嵌め入れ、固定金具８をコイルバネ１５に抗して前後に移動自在とし、更に、前記軸体５の先端部に螺刻したねじ体に前記ナット９を螺着し、ナット９の締緩によって断面略コ字形状をした固定金具８の折曲した縁部１２を角度調節用円板７の突起１０間の間隙に対して出没自在にしている。
【００１１】
また、それぞれの踏み板４の隅部を斜材３とほぼ平行に配設したリンク材１７に連結片１８を介して所定の間隔を保持してピンで連結し、踏み板４の一つを回動させると全ての踏み板４が連動して回動するようにしている。
【００１２】
次に、本発明に係る仮設足場用階段の勾配を変更する手順について説明すると、斜材３の両端部付近に位置する踏み板４に配設した角度調節金具６のナット９を緩め、コイルバネ１５の復元力によって固定金具８の折曲した縁部１２が角度調節用円板７の突起１０の間隙より抜脱するまで後退させる。
【００１３】
そして、斜材３先端部の係止金具２を建枠の横架材等に掛け止めると共に斜材３を所定角度で設置する。そしていずれかの踏み板４をほぼ水平になるように回動させるとリンク材１７によって全ての踏み板４が連動して同一角度となる。続いて、ナット９を締め付けて固定金具８をコイルバネ１５の復元力に抗して角度調節用円板７に押し付け、固定金具８の折曲した縁部１２を角度調節用円板７の突起１０の間隙に嵌り込ませて完全にナット９を締め付ける。
【００１４】
このようにして、角度調節金具６の操作によって斜材３と踏み板４とがなす角度、即ち、仮設足場用階段１の勾配を簡単に調節することができるのである。
【００１５】
【発明の効果】
以上のように本発明に係る仮設足場用階段によれば、一対の平行な斜材間に踏み板を斜材の長手方向に沿って所定間隔を有して配設し、各踏み板の両側部を前記斜材に回動自在に軸着する一方、踏み板の少なくとも一つの側方に円周に沿って所定間隔に突起を立設した角度調節用円板を取り付け、角度調節用円板の突起間に断面略コ字形状の固定金具の折曲した縁部を臨ませかつ出没自在とすると共に、固定金具を斜材側に固定可能に配設し、更に踏み板のそれぞれを斜材に対してほぼ平行に配設したリンク材により連結したので、踏み板の一つを回動するだけで全ての踏み板の角度を変更でき、また所定の踏み板に取り付けた角度調節金具の操作により踏み板の回動を規制又は解除を行うだけで全ての踏み板の回動を規制又は解除することができ、階段の勾配を変更する場合に踏み板の角度を手間をかけずに能率良く変更することができて作業者の負担を軽減することができる。
【図面の簡単な説明】
【図１】本発明に係る仮設足場用階段の正面図である。
【図２】図１の一部を切り欠いた側面図である。
【図３】図２の一部を省略したＡ−Ａ断面図である。
【図４】図１の要部拡大図である。
【符合の説明】
１…仮設足場用階段                  ２…係止金具
３…斜材                            ４…踏み板
５…軸体                            ６…角度調節金具
７…角度調節用円板                  ８…固定金具
９…ナット                        １０…突起
１２…縁部                          １５…コイルバネ
１６…ガイドピン                    １７…リンク材
【図１】
0003968164.tif 000002
【図２】
0003968164.tif 000003
【図３】
0003968164.tif 000004
【図４】
0003968164.tif 000005